(57)【要約】【課題】壁面に、物掛け装置を簡単かつ安価に強固に取り付けることができること。【解決手段】下地材と外壁材との間に中空部が存在する壁面に、取付用下孔１７・１８及びネジ杭用下孔１９・・・１９・２０・・・２０を開け、ネジ杭用下孔１９・・・１９・２０・・・２０については面取りし、全ての下孔にシーリング材を充填する。上部３箇所のネジ杭用下孔窓２５・・・２５に３本のネジ杭１２・・・１２を、下部３箇所のネジ杭用下孔窓２６・・・２６に３本のネジ杭１３・・・１３を、それぞれ壁面と面一になるように締める。取付ベース２の上下部の取付孔６・７を、壁面の上下部の取付用下孔１７・１８と合わせて取付ネジ１０・１１をねじ込んで締め付けると、物掛け装置１の取付は完了する。【選択図】図２
2014079635.tif 000002
【特許請求の範囲】
【請求項１】
下地材と外壁材との間に中空部が存在する壁や外壁材自体が強度の弱い壁等の壁面に、外壁材における取付ベースの取付け面を形成する方法において、壁面には予めネジ杭を、外壁材を通過して下地材に達するようねじ込み、その頭部を外壁材と面一又は突出した状態に維持し、取付孔を設けると共に裏面に当接部を設けた取付ベースを配設して、取付ベースの取付孔から取付ネジをねじ込み締め付けて取り付け、当接部がネジ杭に当接するようにしたことを特徴とする外壁材における取付ベースの取付け面形成方法。
【発明の詳細な説明】
【技術分野】
【０００１】
本発明は、下地材と外壁材との間に中空部が存在する壁や外壁自体が強度の弱い壁等の壁面に、外壁材における取付ベースの取付け面を形成する方法に関するものである。
【背景技術】
【０００２】
従来は、下地材と外壁材との間に中空部が存在する壁や外壁材自体が強度の弱い壁等の壁面に、物掛け装置を取り付ける場合でも、通常と同様に、取付ネジを外壁材を貫通させ下地材に締め付けて取り付ける方法が一般的である。
【先行技術文献】
【特許文献】
【０００３】
【特許文献１】なし。
【発明の概要】
【発明が解決しようとする課題】
【０００４】
上記従来の方法においては、取付ネジを締め付けると、外壁材が凹んだり、割れたりする恐れがあるし、使用中に物掛け装置に大きな荷重がかかった場合には、取付ベースの下方には外壁材を押し込む方向に大きな力がかかり、外壁材が凹んだり、割れたりする恐れが大きくなるという問題があり、本発明は、この問題を解決することを課題とする。
【課題を解決するための手段】
【０００５】
本発明は、上記の問題を解決するものであり、下地材と外壁材との間に中空部が存在する壁や外壁材自体が強度の弱い壁等の壁面に、外壁材における取付ベースの取付け面を形成する方法において、壁面には予めネジ杭を、外壁材を通過して下地材に達するようねじ込み、その頭部を外壁材と面一又は突出した状態に維持し、取付孔を設けると共に裏面に当接部を設けた取付ベースを配設して、取付ベースの取付孔から取付ネジをねじ込み締め付けて取り付け、当接部がネジ杭に当接するようにしたことを特徴とする外壁材における取付ベースの取付け面形成方法である。
【発明の効果】
【０００６】
以上のように本発明によれば、取付ネジを締め付ける時、あるいは物掛け装置に大きな荷重がかかった場合にも、当接部がネジ杭に当接して、ネジ杭がその力を受けるので、外壁材が凹んだり、割れたりする危険性を大きく軽減することができるという効果がある。
【０００７】
また、本発明によれば、壁を施工後に単にネジ杭をねじ込むだけなので、中空部が存在する壁の壁面や外壁材自体が強度の弱い壁の壁面でも、予め壁を施工する前に何らかの加工や部品を必要とせず、簡単かつ安価に物掛け装置を強固に取り付けることができるという効果がある。
【０００８】
さらに、ネジ杭は、回転数によってその高さを簡単に調整できるため、施工現場の誤差に対応しやすく、防水処理もそのネジ杭周りに施すだけでよく簡単である。
【図面の簡単な説明】
【０００９】
【図１】壁面への取付状態を示す全体側面図である。
【図２】壁面への取付状態を示す要部縦断面図である。
【図３】壁面への取付状態を示す要部横断面図である。
【図４】壁面に取り付ける前の分解斜視図である。
【図５】型紙の正面図である。
【実施例１】
【００１０】
本発明は、下地材１４と外壁材１５との間に中空部１６が存在する壁の壁面等に、物掛け装置１（本実施例では物干竿を掛けられるもので２つを一対として使用する）を取り付けるための方法に関するものである。なお、本発明は、本実施例のように中空部が存在しなくても、外壁材１５自体が柔らかかったり、割れやすかったりするような強度の弱い壁の壁面に取り付けるためにも有効な取付方法である。
【００１１】
物掛け装置１は、縦長方形状の取付ベース２の前面に、半小判状の一対の板状体から成る挟持体３を間隔をおいて設け、その挟持体３に、複数の竿受孔５・・・５を設けた腕杆４を回動可能に設けてある。
【００１２】
取付ベース２には、上部に横長小判状の取付孔６を、下部に縦長小判状の取付孔７をそれぞれ設け、上部の取付孔６の裏面両側及び下部に３つの当接部８・・・８を設けると共に、下部の取付孔７の裏面両側及び上部に３つの当接部９・・・９を設けてある。当接部８・・・８及び当接部９・・・９は、取付ベース２の裏面と同一高さ面になっている。
【００１３】
型紙２１は、取付ベース２の裏面外形と同じ形状で、その中心に、中心合わせ窓２２、上下部の中央に取付用下孔窓２３・２４、上部の取付用下孔窓２３の左右両側部及び下部にネジ杭用下孔窓２５・・・２５、下部の取付用下孔窓２４の左右両側部及び上部にネジ杭用下孔窓２６・・・２６をそれぞれ円形に貫通させて設け、さらに縦の中心線２７や横の中心線２８が描かれている。
【００１４】
取付方法について説明する。
まず、物掛け装置１を壁面に取り付ける位置をマークし、中心合わせ窓２２が壁面のマークに合うようにすると共に、縦の中心線２７や横の中心線２８を目印として真っ直ぐになるようにして、型紙２１を壁面にあてがい、上下部の中央の取付用下孔窓２３・２４、上部の取付用下孔窓２３の左右両側部及び下部のネジ杭用下孔窓２５・・・２５、下部の取付用下孔窓２４の左右両側部及び上部のネジ杭用下孔窓２６・・・２６のところに目印を付けて、そこにそれぞれの大きさの取付用下孔１７・１８及びネジ杭用下孔１９・・・１９・２０・・・２０を開け、ネジ杭用下孔１９・・・１９・２０・・・２０については面取りし、全ての下孔にシーリング材を充填する。
【００１５】
その後、上部３箇所のネジ杭用下孔１９・・・１９に３本のネジ杭１２・・・１２を、下部３箇所のネジ杭用下孔２０・・・２０に３本のネジ杭１３・・・１３を、それぞれ壁面と面一になるように締めて取り付け、その後全てのネジ杭１２・・・１２・１３・・・１３の縁をもう一度シールする。
【００１６】
そして、取付ベース２の上下部の取付孔６・７を、壁面の上下部の取付用下孔１７・１８と合わせて取付ネジ１０・１１をねじ込んで締め付けると、物掛け装置１の取付は完了する。すると、物掛け装置１の取付ベース２裏面の当接部８・・・８及び９・・・９がネジ杭１２・・・１２及び１３・・・１３の頭部に当接して、取付ネジ１０・１１の締め付ける力や、使用時に物掛け装置１にかかる力を、ネジ杭１２・・・１２及び１３・・・１３が受けることになり、外壁材１５に大きな力が掛からず凹んだり割れたりしにくくなる。
【００１７】
なお、ネジ杭１２・・・１２・１３・・・１３に、例えばボルトのように厚さがある頭部のネジ杭を使用してもよくその場合、外壁材に取り付けた時に壁面よりも突出するので、当接部８・・・８・９・・・９は、取付ベース２の裏面よりその厚さ寸法分低い面にする必要がある。
【符号の説明】
【００１８】
１    物掛け装置
２    取付ベース
８    当接部
９    当接部
１０    取付ネジ
１１    取付ネジ
１２    ネジ杭
１３    ネジ杭
１４    下地材
１５    外壁材
【図１】
2014079635.tif 000003
【図２】
2014079635.tif 000004
【図３】
2014079635.tif 000005
【図４】
2014079635.tif 000006
【図５】
2014079635.tif 000007